(57)【要約】【課題】  リュックサック全体の軽量化と子どもが遊べる玩具を設けたリュックサックの提供を目的とする。【解決手段】  リュックサック本体袋をネット状もしくは網目状の布を使用し軽量化を図り、トップカバー表面に着脱自在に遊べる福笑いに似た玩具を設けたことを特徴とする。【選択図】図１
0003133151.tif 000002
【実用新案登録請求の範囲】
【請求項１】
リュックサックのトップカバー表面に雌雄一対の面ファスナーあるいは雌雄一対のスナップからなる第１の係止具を介して、着脱自在に取付けられる動物の顔形を模したほぼ円形の布製の顔形布台および動物の耳形を模した耳形布片と、前記動物の目形と鼻形および口形を模し裏面に第２の系止具のいずれか一方を縫い付けた布製の目形布片と鼻形布片および口形布片とからなり、前記顔形布台の表面には第２の系止具の他方が縫い付けられており、前記目形布片と鼻形布片および口形布片が、顔形布台に対し着脱自在に取り付けられることを特徴とする背負い型リュックサック。
【請求項２】
リュックサックのフエルト製トップカバー表面に第１の雄型面ファスナーを介して、着脱自在に取付けられる動物の顔形を模したほぼ円形のフエルト製顔形布台および動物の耳形を模した耳形布片と、前記動物の目形と鼻形および口形を模し裏面に第２の雄型面ファスナーを縫い付けたフエルト製の目形布片と鼻形布片および口形布片とからなり、前記顔形布台の表面には第２の系止具の雌型面ファスナーを縫い付けることなく、前記目形布片と鼻形布片および口形布片が、顔形布台に対し着脱自在に取り付けられることを特徴とする背負い型リュックサック。
【請求項３】
リュックサック本体の袋形状部分は、ネット状もしくは編み目状の布を使用することを特徴とする請求項１または請求項２に記載の背負い型リュックサック。
【考案の詳細な説明】
【技術分野】
【０００１】  本考案は、幼児および子ども用リュックサックに関するものである。
【背景技術】
【０００２】  従来の背負い型リュックサックは、中身が見えにくく子ども自身で取り出しにくい。またキャラクターがデザインされているリュックサックは、決まったキャラクターが１つしかデザインされておらず、子どもの興味を失いやすいうえ荷物を入れる目的しかなく、子どもへの遊び心がなかった。【０００３】  登録実用新案第３０３２０８５号公報に記載のリュックサックは、本体の表面部に縫いぐるみや人形を背負うための背負い具を設けたリュックサックである。【０００４】  しかし、登録実用新案第３０３２０８５号公報に記載のリュックサックは、縫いぐるみや人形を別に用意しなければならない。また、所有する縫いぐるみや人形の大きさ又は重さに左右され選択肢に限りが出来、子どもの体格や力によっては、背負うことが出来ない状態になり易い類のものであった。
リュックサックを使用する子どもが、お気に入りの縫いぐるみや人形を背負えなかった場合、子どもは癇癪を起こし外出を嫌がる事もあり、その行為は親子両者にとってストレスの原因になりかねない。
幼児など体の小さな子どもは、縫いぐるみや人形が大きく重たくなれば歩くバランスを崩しやすく転倒や怪我に結びかねない。
よって、子どもが楽しく安全に外出できることが大きく期待できない。
【特許文献１】実用新案登録第３０３２０８５号公報
【考案の開示】
【考案が解決しようとする課題】
【０００５】  解決しようとする課題は、リュックサック本体の軽量化と子どもが飽きずに遊べる玩具を設けたリュックサックの提供を目的とする。
【課題を解決するための手段】
【０００６】  上記課題を解決するため、本願請求項１に係る背負い型リュックサックは、トップカバー表面に雌雄一対の面ファスナーあるいは雌雄一対のスナップからなる第１の係止具を介して、着脱自在に取付けられる動物の顔形を模したほぼ円形の布製の顔形布台および動物の耳形を模した耳形布片と、前記動物の目形と鼻形および口形を模し裏面に第２の系止具のいずれか一方を縫い付けた布製の目形布片と鼻形布片および口形布片とからなり、前記顔形布台の表面には第２の系止具の他方が縫い付けられており、前記目形布片と鼻形布片および口形布片が、顔形布台に対し着脱自在に取り付けられることを特徴としている。
本願請求項２に係る背負い型リュックサックは、フエルト製トップカバー表面に第１の雄型面ファスナーを介して、着脱自在に取付けられる動物の顔形を模したほぼ円形のフエルト製顔形布台および動物の耳形を模した耳形布片と、前記動物の目形と鼻形および口形を模し裏面に第２の雄型面ファスナーを縫い付けたフエルト製の目形布片と鼻形布片および口形布片とからなり、前記顔形布台の表面には第２の系止具の雌型面ファスナーを縫い付けることなく、前記目形布片、鼻形布片および口形布片が、顔形布台に対し着脱自在に取り付けられることを特徴としている。
本願請求項３に係る背負い型リュックサックは、請求項１または請求項２に記載の背負い型リュックサック本体の袋形状部分をネット状もしくは編み目状の布を使用することを特徴としている。
【考案の効果】
【０００７】  本考案の請求項１および請求項２記載の背負い型リュックサックは、トップカバー表面に福笑いに似た玩具を設けたことで、待ち時間などを子どもと楽しく遊んで過ごせ、親子間や友人間のコミュニケーションに繋がる。【０００８】  本考案の請求項１および請求項２記載の背負い型リュックサックは、顔形布台および各々の布片を自由に選択することで、実在する動物の顔や想像上の動物顔に幾通りも変更でき、子どもの想像力や考える力を育てることができる。また、雌雄一対の系止具を着脱することにより、指先の運動機能を促すことができる。【０００９】  本考案の請求項１および請求項２記載の背負い型リュックサックは、トップカバー表面に動物の顔形を模した顔形布台および動物の耳形を模した耳形布片と、前記動物の目形と鼻形および口形を模した布片を用い、系止具を介し前記顔形布台および各々の布片を着脱することで、様々な動物の顔に変更でき、リュックサック自体のイメージを変えることができる。【００１０】  本考案の請求項３記載のリュックサックは、リュックサック本体のどの位置に何の荷物が入っているかわかりやすいため、子ども自身でリュックサックの中から物を取り出し易くする。また、リュックサック本体が軽く素材もやわらかいため、子どもの背中にフィットして歩きやすい。
【考案を実施するための最良の形態】
【００１１】  本考案の一実施例である図１のように、トップカバー表面に顔形布台と耳形布片を貼り合わせ、場合によって鼻形布片および口形布片・目形布片も貼り合わせた状態のデザインで使用する。【００１２】  本考案で使用する系止具は、スナップ型系止具の場合、指先の発達から考えると幼児には着脱しにくく不向きと思われる為、面ファスナーの系止具を使用する。【００１３】  トップカバー表面に縫着する面ファスナーを雄型面ファスナーにした場合、顔形布台と耳形布片の貼り合わせがずれた時に、はみ出した雄型面ファスナーが他人の衣服や持ち物に絡まり苦情がでることも予想し、雌型面ファスナーを縫着する。【００１４】  動物の鼻形布片および口形布片・目形布片を模る素材にプラスチック製や金属製を用い、縫着または接着しても良いが、万が一部品が外れた場合に乳幼児が飲み込み窒息の危険もあるため刺繍や布製を用い、なおかつ接着剤を舐めることになるので縫着する。【００１５】  顔片布台・鼻形布片および口形布片・目形布片・耳形布片は、原色に近い色を使用しカラフルに配色することで、乳幼児の視覚に刺激を与えることも期待できる。【００１６】  リュックサック本体３の口を締める紐１２は、８ｍｍ程度の太い紐を使用することにより、幼児や子どもの手指へのからまり防止となる。【００１７】  トップカバー表面と顔形布台をフエルト製にすることで、顔形布台裏面と鼻形布片および口形布片裏面・目形布片裏面・耳形布片裏面に雄型面ファスナーを縫着するだけでトップカバー表面と顔形布台に着脱自在となり、トップカバー表面並びに顔形布台表面の雌型面ファスナーの必要がなくなる。
【実施例】
【００１８】  以下、添付図面に従って一実地例を説明する。まず図３の状態のリュックサック本体３に、子どもに背負わせたい物（おもちゃ・菓子類・おむつ・玩具布片など）を入れ、紐１２を絞りリュックサック本体口を閉め、トップカバー裏面１４の雄型面ファスナー１１とリュックサック本体３の雌型面ファスナー１３を貼り合わせトップカバーを閉めた状態が図２となる。【００１９】  図２のように、トップカバーを閉じた状態で雌型面ファスナー９に、顔形布台２０から選んだ顔形布台２０２の裏面２０４に縫着されている雄型面ファスナー２０７を貼り合わせる。同じように雌型面ファスナー１０に、耳形布片５０から選んだ１組の耳形布片５０２の裏面５０８に縫着されている雄型面ファスナー５１３を貼り合わせる。ただし、上記トップカバー表面２がフエルト製の場合、雌型面ファスナー９および１０を縫着しなくとも、顔形布台２０と耳形布片５０を着脱できる。【００２０】  さらに顔形布台２０２の表面に縫着されている雌型面ファスナー２０９に、鼻形布片および口形布片３０より選んだ口形布片３０１の裏面３０５に縫着されている雄型面ファスナー３０８を貼り合わせる。この組合せは図１の形態と同じになり、笑っているクマの顔が表現される。【００２１】  図４の顔形布台２０は、３パターンある。顔形布台２０１は、目形と鼻形および口形を模す布があらかじめ縫着されている。顔形布台２０２は、目形を模す布が縫着されており、ほぼ中央に雌型面ファスナー２０９が縫着されている。この雌型面ファスナー２０９に、鼻形布片および口形布片３０より選んだ１つの布片の裏面３１に縫着されている雄型面ファスナー３０８を貼り合わせる。顔形布台２０３は、鼻形および口形を模す布があらかじめ縫着されており、目の位置（２カ所）に雌型面ファスナー２０６が縫着されている。この雌型面ファスナー２０６に、目形布片４０の裏面４１に縫着されている雄型面ファスナー４２を貼り合わせる。
ただし、上記顔形布台２０がフエルト製の場合、雌型面ファスナー２０９および２０６を縫着しなくとも、全ての顔形布台２０に鼻形布片および口形布片３０と目形布片４０を着脱できる。【００２２】  図６の鼻形および口形布片３０は、笑っている表情を模している口形布片３０１、つまらない・怒っている・悲しい表情を模している口形布片３０２、豚の鼻を模している鼻形布片３０３、象の鼻を模している鼻形布片３０４からなる。【００２３】  図７は、鼻形および口形布片３０の裏面３１である。裏面３０５は、口形布片３０１と口形布片３０２の共通裏面。裏面３０６は、鼻形布片３０３の裏面。裏面３０７は、鼻形布片３０４の裏面である。鼻形布片および口形布片の裏面３１の中央部に、雄型面ファスナー３０８を縫着し、顔形布台２０２の表面に逢着してある雌型面ファスナー２０９に着脱する。ただし、顔形布台２０がフエルト製の場合、上記顔形布台２０２に限らず全ての顔形布台２０に着脱することができる。【００２４】  図８と図９は、目を模した目形布片であり、表面４０と裏面４１である。裏面４１に雄型面ファスナー４２が逢着されており、顔形布台２０３の表面に縫着してある雌型面ファスナー２０６に着脱できる。ただし、顔形布台２０がフエルト製の場合、上記顔形布台２０３に限らず全ての顔形布台２０に着脱することができる。【００２５】  目形布片４０は、Ａ側とＢ側の角度を上下左右自由に変えることにより、目の表情が幾通りにも変わり表情の変化を楽しむ事が出来る。Ａ側を上向き中央に寄せ、Ｂ側を下向き外側に離して貼ると垂れ目を表す。反対に、Ａ側を下向き中央寄せ、Ｂ側を上向き外側に離して貼ると怒った目を表す。また、Ａ側とＢ側の高さを水平に保ち、Ａ側を正面から見て左向きに揃えて貼ると、動物は右を向いている表情となり、反対にＡ側を正面から見て右向きに揃えて貼れば、動物は左を見ている表情となる。【００２６】  図１０の耳形布片５０は、様々な動物の耳を模した布片である。この耳形布片５０は、トップカバー表面２に縫着してある雌型面ファスナー１０に耳形布片裏面５１に縫着してある雄型面ファスナー５１３を各々１片ずつ貼り合わせることで、動物の耳を表せる。【００２７】  耳形布片５０は、６種類ある。長い垂れ耳を模した耳形布片５０１は、犬の耳を表す。丸耳を模した耳形布片５０２は、クマの耳を表す。短い垂れ耳を模した耳形布片５０３は、犬や豚の耳を表す。長い立ち耳を模した耳形布片５０４は、ウサギの耳を表す。大きな耳を模した耳形布片５０５は、象の耳を表す。三角耳を模した耳形布片５０６は、猫の耳を表している。【００２８】  耳形布片５０より布片を選択するときは、左右に同じ布片を着貼り合わせる事にこだわらず遊ぶことができる。例えば、片方に長い耳形布片５０４を貼り、もう片方に長い垂れ耳形布片５０１を貼ることで、ウサギの耳が片方だけ垂れている状態を表すことができる。【００２９】  図１１は、図１０の耳形布片５０の各裏面であり、耳形布片５０１の裏面５０７、耳形布片５０２の裏面５０８、耳形布片５０３の裏面５０９、耳形布片５０４の裏面５１０、耳形布片５０５の裏面５１１、耳形布片５０６の裏面５１２となっている。耳形布片の裏面５１に、雄型面フ��スナー５１３が逢着されており、トップカバー表面２に縫着してある雌型面ファスナー１０に着脱できる。ただし、上記トップカバー表面２がフエルト製作の場合、雌型面ファスナー１０を縫着しなくとも、耳形布片５０を着脱できる。【００３０】  図１・図２・図３に示す実施形態のリュックサック本体３は、ネット状もしくは網目状の布を使用して作ることで軽量かつ子どもの体ラインにフィットする。また中身が見えることで新しいデザイン性をもつリュックサックとなる。子ども自身も何が入っているか一目瞭然となり取り出しやすく、またリュックサックを開けなくとも自分の物が入っているという楽しさも味わえる。【００３１】  図１・図２・図３に示す実施形態のリュックサック本体３の中央上部に、２本の背負いベルト４と形成した吊り輪８が縫着されている。各々の背負いベルト４に長さ調整環５を挿通したあとに、連結環６をくぐって再び上記長さ調整環５に戻りこれに止着されて長さ調整用ループを形成している。比較的短いベルト７は、上記連結環６をくぐったあと両端がリュックサック本体３の下部両端に縫着され、該連結環６を介して上記長さ調整用ループと連結する固定ループを形成している。
【図面の簡単な説明】
【００３２】
【図１】図１は、本考案リュックサックの一実施例に関わる斜視図である
【図２】図２は、上記実施例の顔形布台と耳形布片を外した斜視図である
【図３】図３は、上記実施例のトップカバーを開けた状態の斜視図である
【図４】図４は、顔形布台表面の平面図である
【図５】図５は、顔形布台裏面の平面図である
【図６】図６は、鼻形布片および口形布片表面の平面図である
【図７】図７は、鼻形布片および口形布片裏面の平面図である
【図８】図８は、目形布片表面の平面図である
【図９】図９は、目形布片裏面の平面図である
【図１０】図１０は、耳形布片表面の平面図である
【図１１】図１１は、耳形布片裏面の平面図である
【符号の説明】
【００３３】  １      背負い形リュックサック
２      トップカバー表面
３      リュックサック本体
９      第１の系止具の一方（顔形布台用）
１０    第１の系止具の一方（耳形布片用）
１４    トップカバー裏面
２０    顔形布台
２１    顔形布台裏面
３０    鼻形布片および口形布片の表面
３１    鼻形布片および口形布片の裏面
４０    目形布片表面
４１    目形布片裏面
４２    第２の系止具の一方（目形布片）
５０    耳形布片表面
５１    耳形布片裏面
２０６  第２の系止具の一方（目形布片用）
２０７  第１の系止具の一方（顔形布台）
２０９  第２の系止具の一方（鼻形布片および口形布片用）
３０８  第２の系止具の一方（鼻形布片および口形布片）
５１３  第１の系止具の一方（耳形布片）
【図１】
0003133151.tif 000003
【図２】
0003133151.tif 000004
【図３】
0003133151.tif 000005
【図４】
0003133151.tif 000006
【図５】
0003133151.tif 000007
【図６】
0003133151.tif 000008
【図７】
0003133151.tif 000009
【図８】
0003133151.tif 000010
【図９】
0003133151.tif 000011
【図１０】
0003133151.tif 000012
【図１１】
0003133151.tif 000013